(57)【要約】      （修正有）【課題】バックルの部品点数が少なく、ベルト本体の耐久性に優れた低コストで製造可能なベルトを提供する。【解決手段】ベルト本体１とバックル４を備える。ベルト本体は、表面が毛羽立った糸を用いて製織された織物を芯材として、芯材の全面を合成樹脂層で被覆したものからなる。バックルは、基板５と、基板にスライド可能に取り付けたスライド板６とからなる。スライド板のスライド運動のみでベルト本体のバックルへの固定およびその解除がなされる。【選択図】図１
0003191431.tif 000002
【実用新案登録請求の範囲】
【請求項１】
ベルト本体と、前記ベルト本体の基端に取り付けられたバックルとからなるベルトであって、
前記ベルト本体は、表面が毛羽立った糸を用いて製織された織物を芯材として、この芯材の全面を合成樹脂層で被覆したものからなり、
前記バックルは、基板と、前記基板に重ね合わされた状態で前記基板に対しスライド可能なスライド板と、ベルトの幅方向における前記基板または前記スライド板の両側に設けられた一対のスライドガイドと、を備え、
前記スライド板は前記スライドガイドを介して前記基板に対しベルトの長手方向にスライド可能に取り付けられ、
前記基板におけるベルトの長手方向の一端側に、前記ベルト本体を挿通可能な第１の開口が設けられるとともに、前記スライド板には、前記ベルト本体を挿通可能な第２の開口が設けられ、
前記基板におけるベルトの長手方向の他端側に、前記ベルト本体の基端が固定されるベルト本体取付部が設けられ、
前記スライド板は、前記ベルト本体の先端側が前記第２の開口と前記基板の前記第１の開口の重複部分に挿入自在とされた第１の位置と、前記第１の位置から、前記基板の前記ベルト本体取付部から遠ざかる向きに離れた、前記ベルト本体が前記スライド板の前記第２の開口における前記基板の前記ベルト本体取付部に近い方の端縁と、前記基板の前記第１の開口における前記ベルト本体取付部から遠い方の端縁との間に係止される第２の位置と、を取り得るようになっており、
前記基板または前記スライド板またはその両方に、前記スライド板のスライド範囲を少なくとも前記第１の位置と前記第２の位置の間に規制するストッパが設けられたものであることを特徴とするベルト。
【請求項２】
前記ベルト本体の芯材を形成する前記織物は、平二重織の織物であることを特徴とする請求項１に記載のベルト。
【請求項３】
前記ベルト本体の合成樹脂層は、塩化ビニル系樹脂またはポリウレタン系樹脂から形成されていることを特徴とする請求項１または請求項２に記載のベルト。
【請求項４】
前記一対のスライドガイドは、それぞれ、前記基板または前記スライド板に立設された垂直な壁部分と、前記垂直な壁部分の上端縁から内向きに当該基板または当該スライド板に平行にのびる水平な壁部分とからなるＬ字状断面を有し、前記スライド板が前記基板の前記一対のスライドガイドの前記水平な壁部分と前記基板との間に嵌め込まれていること、または前記基板が前記スライド板の前記一対のスライドガイドの前記水平な壁部分と前記スライド板との間に嵌め込まれていることを特徴とする請求項１〜請求項３のいずれかに記載のベルト。
【請求項５】
前記バックルは前記スライド板側に凹となるように湾曲しているとともに、前記基板の湾曲の程度が前記スライド板の湾曲の程度よりも大きくなっており、前記ストッパが、前記基板の前記スライド板に対向する面と、前記基板に設けられ前記スライド板の移動経路内に突出する凸状部とからなり、前記スライド板の前記第２の位置側への移動が、前記基板の前記スライド板に対向する面に前記スライド板が当接することによって規制されることを特徴とする請求項１〜請求項４のいずれかに記載のベルト。
【請求項６】
前記ストッパは、前記基板に設けられ前記スライド板の移動経路内に突出する凸状部、または前記スライド板に設けられ前記基板の前記第１の開口内に突出する凸状部、またはその両方からなっていることを特徴とする請求項１〜請求項４のいずれかに記載のベルト。
【請求項７】
前記基板および前記スライド板は実質上矩形状または正方形状をなし、それぞれ、一対の対辺がベルトの長手方向にのびており、ベルトの幅方向において、前記スライド板が前記基板に対応する長さを有し、ベルトの長手方向において、前記スライド板が前記基板よりも短くなっていることを特徴とする請求項１〜請求項６のいずれかに記載のベルト。
【考案の詳細な説明】
【技術分野】
【０００１】
本考案は、ベルト、特に、ズボンやスカート等の衣服の腰まわりに締め付けて装着するのに適したベルトに関するものである。
【背景技術】
【０００２】
この種のベルトは、通常、ベルト本体と、ベルト本体の基端に取り付けられたバックルとからなっている。そして、ズボンのベルト通しにベルト本体が通されるとともに、使用者の腰まわりに巻かれ、次いで、ベルト本体の先端部がバックルに挿入された後、ベルトが適度に締め付けられた状態でバックルにベルト本体の先端部が係止されることによって使用者の腰まわりに装着される。
【０００３】
従来のベルトのベルト本体としては、例えば、布テープの表面および裏面に、柔軟で変歪し易くしかも弾力性に富むビニール等の合成樹脂の皮膜を塗着または貼着し、皮膜面に微細な無数の凹凸を設けたものや（例えば、特許文献１参照）、フェルト地の表層にビニール系合成樹脂の薄層を接着したものがある（例えば、特許文献２参照）。
【０００４】
また、従来のベルトのバックルとしては、例えば、基板の上下辺を表側に屈曲させて左右に支持壁を形成し、一方の支持壁に蓋を枢着するとともに、他方の支持壁にベルト固定片を枢着し、蓋およびベルト固定片のそれぞれに基板との間にベルトを挟着固定する固定歯を設け、バックル閉鎖時にベルト固定片が蓋の自由端部内に位置するようにしたものがある（例えば、特許文献３参照）。
【０００５】
また、この種のバックルとしては、例えば、板状の基板の両側部に一対の支承片を立設し、各支承片に第１軸支承孔を形成したバックル本体と、板状の基板の両側に一対の支承片を立設し、各支承片に第２軸支承孔を形成した止着体と、連結板の両端にそれぞれ表裏逆方向に突出する第１係止片および第２係止片を突設し、両係止片の両側端に第１支承突軸および第２支承突軸を設けた掛止体とからなり、掛止体の第１支承突軸をバックル本体の第１軸支承孔に、第２支承突軸を止着体の第２軸支承孔に回動可能に枢着し、バックル本体の第１軸支承孔より基板の両端縁を大きく前方へ延出させるとともに、止着体の第２軸支承孔より基板の後端縁を大きく後方へ延出させ、それぞれの端縁をベルトに当接させたものがある（例えば、特許文献４参照）。
【０００６】
そして、上述のようなベルト本体とバックルを組み合わせた比較的安価なベルトが市場に提供されている。
しかしながら、このようなベルトにおいては、布テープやフェルト地等の繊維集合体の構造が弱く、引張強さが小さい材料が、ベルト本体の芯材として使用されている。そのため、ベルトの繰り返し使用によって、ベルト本体のバックルに係止される領域が比較的短期間のうちに破断してしまうという問題があった。
さらに、バックルの部品点数が多く、そのため、部品の加工費や組み立ての手間等がかかり、製造コストが高くつくという問題があった。
【先行技術文献】
【特許文献】
【０００７】
【特許文献１】実公昭３６−６０３３号公報
【特許文献２】実公昭３０−８９５５公報
【特許文献３】実開昭６３−１３１６１８号公報
【特許文献４】実公平６−６７２８号公報
【考案の概要】
【考案が解決しようとする課題】
【０００８】
したがって、本考案の課題は、バックルの部品点数が少なく、ベルト本体の耐久性に優れた低コストで製造可能なベルトを提供することにある。
【課題を解決するための手段】
【０００９】
上記課題を解決するため、本考案は、ベルト本体と、前記ベルト本体の基端に取り付けられたバックルとからなるズボン用ベルトであって、前記ベルト本体は、表面が毛羽立った糸を用いて製織された織物を芯材として、この芯材の全面を合成樹脂層で被覆したものからなり、前記バックルは、基板と、前記基板に重ね合わされた状態で前記基板に対しスライド可能なスライド板と、ベルトの幅方向における前記基板または前記スライド板の両側に設けられた一対のスライドガイドと、を備え、前記スライド板は前記スライドガイドを介して前記基板に対しベルトの長手方向にスライド可能に取り付けられ、前記基板におけるベルトの長手方向の一端側に、前記ベルト本体を挿通可能な第１の開口が設けられるとともに、前記スライド板には、前記ベルト本体を挿通可能な第２の開口が設けられ、前記基板におけるベルトの長手方向の他端側に、前記ベルト本体の基端が固定されるベルト本体取付部が設けられ、前記スライド板は、前記ベルト本体の先端側が前記第２の開口と前記基板の前記第１の開口の重複部分に挿入自在とされた第１の位置と、前記第１の位置から、前記基板の前記ベルト本体取付部から遠ざかる向きに離れた、前記ベルト本体が前記スライド板の前記第２の開口における前記基板の前記ベルト本体取付部に近い方の端縁と、前記基板の前記第１の開口における前記ベルト本体取付部から遠い方の端縁との間に係止される第２の位置と、を取り得るようになっており、前記基板または前記スライド板またはその両方に、前記スライド板のスライド範囲を少なくとも前記第１の位置と前記第２の位置の間に規制するストッパが設けられたものであることを特徴とするベルトを構成したものである。
【００１０】
上記構成において、好ましくは、前記ベルト本体の芯材を形成する前記織物は、平二重織の織物である。
また好ましくは、前記ベルト本体の合成樹脂層は、塩化ビニル系樹脂またはポリウレタン系樹脂から形成されている。
【００１１】
また、前記一対のスライドガイドは、それぞれ、前記基板または前記スライド板に立設された垂直な壁部分と、前記垂直な壁部分の上端縁から内向きに当該基板または当該スライド板に平行にのびる水平な壁部分とからなるＬ字状断面を有し、前記スライド板が前記基板の前記一対のスライドガイドの前記水平な壁部分と前記基板との間に嵌め込まれていること、または前記基板が前記スライド板の前記一対のスライドガイドの前記水平な壁部分と前記スライド板との間に嵌め込まれていることが好ましい。
【００１２】
また好ましくは、バックルは前記スライド板側に凹となるように湾曲しているとともに、前記基板の湾曲の程度が前記スライド板の湾曲の程度よりも大きくなっており、前記ストッパが、前記基板の前記スライド板に対向する面と、前記基板に設けられ前記スライド板の移動経路内に突出する凸状部とからなり、前記スライド板の前記第２の位置側への移動が、前記基板の前記スライド板に対向する面に前記スライド板が当接することによって規制されるようになっている。
あるいは、前記ストッパは、前記基板に設けられ前記スライド板の移動経路内に突出する凸状部、または前記スライド板に設けられ前記基板の前記第１の開口内に突出する凸状部、またはその両方からなっている。
【００１３】
また好ましくは、前記基板および前記スライド板は実質上矩形状または正方形状をなし、それぞれ、一対の対辺がベルトの長手方向にのびており、ベルトの幅方向において、前記スライド板が前記基板に対応する長さを有し、ベルトの長手方向において、前記スライド板が前記基板よりも短くなっている。
【考案の効果】
【００１４】
本考案によれば、ベルト本体の芯材として、表面が毛羽立った糸を用いて製織された、従来の布テープやフェルト地よりも繊維集合体の組織が強く、引張強さが大きい織物を使用したので、ベルト本体はバックルによって繰り返し係止されても破断しにくくなり、よってベルト本体の耐久性が向上する。
また、バックルを、基板と、基板にスライド可能に取り付けたスライド板とから構成し、スライド板のスライド運動のみでベルト本体のバックルへの固定よびその解除が行えるようにしたので、バックルの構造が簡単になって部品点数も低減され、よってバックルを非常に低コストで製造することができる。
【図面の簡単な説明】
【００１５】
【図１】本考案の１実施例によるベルトのベルト本体のバックルへの挿入時の状態を示す図であり、（Ａ）は斜視図であり、（Ｂ）は（Ａ）の要部の拡大側断面図である。
【図２】図１のベルトのベルト本体のバックルへの固定時の状態を示す図であり、（Ａ）は斜視図であり、（Ｂ）は（Ａ）の要部の拡大側断面図である。
【図３】図１のベルトのベルト本体を示す図であり、（Ａ）は、一部切欠き斜視図であり、（Ｂ）はベルト本体の芯材の幅方向の織組織を示す断面図であり、（Ｃ）はベルト本体の芯材の長手方向の織組織を示す断面図である。
【図４】図１のベルトのバックルの分解斜視図である。
【図５】図１のベルトを示す図であり、（Ａ）は表面側から見た斜視図であり、（Ｂ）は側面図であり、（Ｃ）は裏面側から見た斜視図である。
【図６】本考案のベルトのバックルの変形例を示す斜視図である。
【図７】本考案のベルトのバックルの変形例を示す斜視図である。
【考案を実施するための形態】
【００１６】
以下、添付図面を参照して本考案の好ましい実施例について説明する。図１は、本考案の１実施例によるベルトのベルト本体のバックルへの挿入時の状態を示す図であり、（Ａ）は斜視図であり、（Ｂ）は（Ａ）の要部の拡大側断面図である。図２は、図１のベルトのベルト本体のバックルへの固定時の状態を示す図であり、（Ａ）は斜視図であり、（Ｂ）は（Ａ）の要部の拡大側断面図である。
【００１７】
図１および図２に示すように、本考案のベルトは、ベルト本体１と、ベルト本体１の基端１ａに取り付けられたバックル４とからなっている。
【００１８】
図３は、図１のベルトのベルト本体を示す図であり、（Ａ）は、一部切欠き斜視図であり、（Ｂ）はベルト本体の芯材の幅方向の織組織を示す断面図であり、（Ｃ）はベルト本体の芯材の長手方向の織組織を示す断面図である。
図３（Ａ）に示すように、ベルト本体１は、芯材２の全面を合成樹脂層３で被覆したものからなっている。芯材２は、表面が毛羽立った糸、例えばナイロンのスパン糸を用いて製織された織物から形成され、この場合、織物の織組織は、特に限定されないが、好ましくは、図３（Ｂ）、（Ｃ）に示すような、平二重織となっている。
なお、図３（Ｂ）、（Ｃ）中、２ａは経糸であり、２ｂは緯糸であり、２ｃは芯糸であり、２ｄは綴じ糸である。
【００１９】
また、芯材２を形成する織物は、表面が毛羽立った糸、例えば、ナイロンのスパン糸を用いて製織されている。
芯材２を被覆する合成樹脂層３は、公知の任意の熱可塑性樹脂から形成されておればよいが、塩化ビニル系樹脂またはウレタン樹脂から形成されていることが好ましい。
【００２０】
本考案によれば、ベルト本体１は、金型を用い、これに溶融状態の合成樹脂を供給しながら、芯材２を金型から連続的に引き抜き、モールド加工を行うことによって製造される。この場合、芯材２の表面が毛羽立っているので、合成樹脂の芯材に対する強い密着性が得られる。
【００２１】
図４は、図１のベルトのバックルの分解斜視図である。また、図５は、図１のベルトを示す図であり、（Ａ）は表面側から見た斜視図であり、（Ｂ）は側面図であり、（Ｃ）は裏面側から見た斜視図である。
図４および図５に示すように、バックル４は、基板５と、基板５に重ね合わされた状態で基板５に対しスライド可能なスライド板６と、ベルトの幅方向におけるスライド板６の両側に設けられた一対のスライドガイド１０とを備えている。
【００２２】
この実施例では、基板５およびスライド板６は矩形状または正方形状をなしており、それぞれ、一対の対辺がベルトの長手方向にのびている。そして、ベルトの幅方向において、スライド板６が基板５に対応する長さを有し、ベルトの長手方向において、スライド板６が基板５よりも短くなっている。
スライド板６は、スライドガイド１０を介して基板５に対しベルトの長手方向にスライド可能に取り付けられている。
【００２３】
スライドガイド１０は、この実施例では、スライド板６に立設された垂直な壁部分１０ａと、垂直な壁部分１０ａの上端縁から内向きにスライド板６に平行にのびる水平な壁部分１０ｂとからなっている。
そして、基板５がスライド板６の一対のスライドガイド１０の水平な壁部分１０ｂとスライド板６との間に嵌め込まれている。
【００２４】
なお、一対のスライドガイド１０を基板５側に設けるとともに、スライド板６をそれら一対のスライドガイド１０の水平な壁部分１０ｂと基板５との間に嵌め込む構成も可能である。
【００２５】
基板５におけるベルトの長手方向の一端側に、ベルト本体１を挿通可能な第１の開口８が設けられる一方、スライド板６には、ベルト本体１を挿通可能な第２の開口９が設けられている。
基板５におけるベルトの長手方向の他端側には、ベルト本体１の基端１ａが固定されるベルト本体取付部７が設けられている。この実施例では、ベルト本体取付部７はベルト本体１を挿通可能な開口からなっており、ベルト本体１の基端１ａが当該開口に挿通された後、折り返され、折り返された部分が本体に重ね合わされた状態で縫合されている。
【００２６】
スライド板６は、ベルト本体１の先端側１ｂが第２の開口９と基板５の第１の開口８の重複部分に挿入自在とされた第１の位置と、第１の位置から、基板５のベルト本体取付部７から遠ざかる向きに離れた、ベルト本体１がスライド板６の第２の開口９における基板５のベルト本体取付部７に近い方の端縁９ａと、基板５の第１の開口８におけるベルト本体取付部７から遠い方の端縁８ｂとの間に係止される第２の位置と、をとり得るようになっている。
【００２７】
また、この実施例では、バックル４が、スライド板６側に凹となるように湾曲しているとともに、基板５の湾曲の程度がスライド板６の湾曲の程度よりも大きくなっている。そして、スライド板６が基板５のベルト本体取付部７から遠ざかる向きに第２の位置を越えて移動した場合、スライドガイド１０から基板５が外れる手前の位置で、基板５およびスライド板６の互いに対向する面が係合し、スライド板６が基板５から外れないようになっている。
【００２８】
さらに、基板５の第１の開口８とベルト本体取付部７との間の領域に、追加の開口１１が設けられるとともに、この追加の開口１１とベルト本体取付部７の境目に位置する基板部分５ａがスライド板６側に屈曲せしめられて、スライド板６の移動経路内に突出している。そして、スライド板６が第１の位置に達したときに、スライド板６が基板部分５ａに当接し、スライド板６が第１の位置からさらにベルト本体取付部７に向けてスライドすることが妨げられる。
【００２９】
こうして、基板５のスライド板６に対向する面と、基板部分５ａとによって、スライド板６のスライド範囲を規制するストッパが構成され、このストッパによってスライド板６が基板５から抜け落ちてしまうことが防止される。
【００３０】
次に、本考案によるベルトの使用法を説明する。
まず、ズボンやスカート等の衣服のベルト通しにベルト本体１が通されるとともに、使用者の腰まわりに巻かれる。次いで、使用者の手でバックル４のスライド板６が第１の位置に保持された状態で、ベルト本体１の先端側１ｂが、スライド板６側からバックル４の第１および第２の開口８、９に挿入される（図１参照）。その後、ベルトが適度に締め付けられると、スライド板６が自動的に第１の位置から第２の位置までスライドし、ベルト本体１の先端側１ｂがバックル４（基板５およびスライド板６間）に係止されることによって使用者の腰まわりに装着される（図２参照）。
ベルトを緩める場合には、スライド板６が使用者の手によって第２の位置から第１の位置までスライドせしめられることで、ベルト本体１のバックル４による係止が解除される。
【００３１】
なお、本考案によるベルトは、衣服の腰まわりに締め付けて装着するベルトとして使用できるだけでなく、それ以外の用途にも使用可能であり、例えば、リュックサックやカバン等に取り付けられた肩掛け用ベルトとしても使用できる。
【００３２】
本考案によるベルトにおいては、ベルト本体１の芯材２として、表面が毛羽立った糸を用いて製織された織物を使用し、従来の布テープやフェルト地よりも繊維集合体の組織が強く、引張強さが大きい芯材としたので、ベルトの繰り返し使用に伴ってベルト本体１がバックル４によって繰り返し係止されても、ベルト本体１が容易に破断することがない。
【００３３】
また、バックル４を、基板５と、基板５にスライド可能に取り付けたスライド板６から構成し、スライド板６のスライド運動のみでベルト本体１のバックル４への固定およびその解除が行えるようにしたので、バックル４の構造が簡単になり、部品点数も少なくて済み、よって、バックル４の製造コストが大幅に低減される。
【００３４】
以上、本考案の構成を好ましい１実施例に基づいて説明したが、本考案の構成はこの実施例に限定されるものではなく、実用新案登録請求の範囲に記載した構成の範囲内で種々の変形例を案出することができる。
【００３５】
図６は、本考案のベルトのバックルの変形例を示した斜視図である。
図６（Ａ）、（Ｂ）を参照して、この変形例では、バックルの基板５およびスライド板６はいずれも平板状をなしている。
また、ベルトの幅方向における基板５の両側縁の中央部に、スライド板６の移動経路内に突出する突起５ｂが設けられ、また、スライド板６における第２の開口９に関して基板５のベルト本体取付部７側の部分６ａが、基板５側に屈曲せしめられ、第１の開口８内に突出している。
【００３６】
そして、基板５の突起５ｂ、およびスライド板６の部分６ａによって、スライド板６のスライド範囲を規制するストッパが構成される。
こうして、スライド板６が基板５のベルト本体取付部７から遠ざかる向きに第２の位置を越えて移動した場合、スライドガイド１０から基板５が外れる手前の位置で、スライド板６の部分６ａが基板５に当接する一方、スライド板６が第１の位置に達したときに、スライド板６が基板５の突起５ｂに当接し、スライド板６が第１の位置からさらにベルト本体取付部７に向けてスライドすることが妨げられ、それによって、スライド板６が基板５から外れないようになっている。
【００３７】
さらに、基板５の第１の開口８におけるベルト本体取付部７から遠い方の端縁８ｂがギザギザになっており（図６（Ａ）参照）、またはスライド板６の第２の開口９におけるベルト本体取付部７に近い方の端縁６ａがギザギザになっている（図６（Ｂ）参照）。
【００３８】
図７は、本考案のベルトのバックルの別の変形例を示した斜視図である。  図７（Ａ）を参照して、この変形例では、基板５は、ベルト本体取付部７’の領域においてベルト本体１の幅に対応する幅を有するとともに、当該幅方向の両側縁に一対の舌状部１１を有している。
そして、ベルト本体１の基端部が、基板５のベルト本体取付部７’の領域にセットされた後、一対の舌状部１１がベルト本体１側に折り曲げられ、ベルト本体１が基板５にかしめ固定され、それによって、ベルト本体１がバックル４に取り付けられる。
【００３９】
この場合、ベルト本体１をバックル４により強固に取り付けるために、図７（Ｂ）に示すように、さらに、各舌状部１１に予め形成したネジ穴にネジ１２を嵌め込み、ベルト本体１をネジ１２によって基板５に締め付け固定する構成としてもよい。
【００４０】
また、図７（Ｃ）に示した変形例では、基板５は、ベルト本体取付部７’の領域においてベルト本体１の幅に対応する幅を有するとともに、当該幅方向の両側縁に一対の垂直な支持壁１３を有している。一対の支持壁１３の間には、ベルト固定片１５がその旋回軸１４のまわりに旋回可能に取り付けられている。
【００４１】
そして、ベルト本体１の基端部が、基板５およびベルト固定片１５の間に挿入された後、ベルト固定片１５が旋回せしめられ、ベルト本体１が基板５とベルト固定片１５の歯１５ａの間に挟持され、それによって、ベルト本体１がバックル４に取り付けられる。
【００４２】
また、上記実施例では、バックルの基板およびスライド板がいずれも矩形状または正方形状をなしているが、基板およびスライド板の形状は、適当な任意の形状であってよい。スライドガイドの構成もまた上記実施例に限定されるものではなく、基板およびスライド板を重ね合わせた状態で、スライド板を基板に対してベルトの長手方向にスライド可能に取り付け可能な構成であれば、どのような構成であってもよい。
【符号の説明】
【００４３】
１  ベルト本体
１a  基端
１ｂ  先端側
２  芯材
２ａ  経糸
２ｂ  緯糸
２ｃ  芯糸
２ｄ  綴じ糸
３  合成樹脂層
４  バックル
５  基板
５ａ  基板部分
５ｂ  突起
６  スライド板
６ａ  スライド板の部分
７  ベルト本体取付部
８  第１の開口
９  第２の開口
１０  スライドガイド
１０ａ  垂直な壁部分
１０ｂ  水平な壁部分
１１  追加の開口
【図１】
0003191431.tif 000003
【図２】
0003191431.tif 000004
【図３】
0003191431.tif 000005
【図４】
0003191431.tif 000006
【図５】
0003191431.tif 000007
【図６】
0003191431.tif 000008
【図７】
0003191431.tif 000009